(57)【要約】【課題】高精度のスライド機能を有しかつ表示部の視認性に優れた電子機器を提供すること。【解決手段】第１の筐体１と第２の筐体２とを含む電子機器である。第１の筐体には曲線状のレール３が固定される。第２の筐体にはスライダフレーム５が固定される。スライダフレームにはスライダ６が保持される。スライダは、レールを所定方向においてスライド可能に保持する。【選択図】図２
2010154142.tif 000002
【特許請求の範囲】
【請求項１】
第１の筐体と、第２の筐体と、前記第１の筐体に固定された曲線状のレールと、前記第２の筐体に固定されたスライダフレームと、前記スライダフレームに保持され、前記レールを所定方向においてスライド可能に保持したスライダとを含むことを特徴とする電子機器。
【請求項２】
前記スライダは、前記所定方向における中間部に、前記レールから離間した凹所を有する、請求項１に記載の電子機器。
【請求項３】
前記スライダは、型を用いて樹脂成形されたものである、請求項１又は２に記載の電子機器。
【請求項４】
前記スライダは、型を用いて金属成形されたものである、請求項１又は２に記載の電子機器。
【請求項５】
前記スライダは、前記所定方向における両端部に肉厚を薄くする凹部が形成されている、請求項３又は４に記載の電子機器。
【請求項６】
前記レールは、金属及び樹脂のいずれか一方より形成されている、請求項１−５のいずれか一項に記載の電子機器。
【請求項７】
前記スライダフレームは、金属及び樹脂のいずれか一方より形成されている、請求項１−６のいずれか一項に記載の電子機器。
【請求項８】
前記レールは、互いに間隔をおいて前記所定方向にのびた対のスライド部を有し、前記スライダは、前記対のスライド部をそれぞれスライド可能に保持するように間隔をおいて二つ設けられている、請求項１−７のいずれか一項に記載の電子機器。
【請求項９】
前記第１の筐体と前記第２の筐体とはＦＰＣにより電気的に接続されている、請求項１−８のいずれか一項に記載の電子機器。
【請求項１０】
前記第１及び第２の筐体うちの一方は表示部を備え、他方は操作部を備えている、請求項１−９のいずれか一項に記載の電子機器。
【発明の詳細な説明】
【技術分野】
【０００１】
本発明は、スライド機構を有する携帯電話機などの電子機器に関するものである。
【背景技術】
【０００２】
近年、スライド機構により結合された二つの筐体を含む携帯電話機などの電子機器が知られている。これらの機器には、一方の筐体に文字や画像などを表示する表示部を実装し、他方の筐体に多数のキーを有する操作部を実装したものが多い。この場合、二つの筐体を互いに単に水平にスライドさせるのみでは、その際に表示部も水平方向に移動するため、スライド操作後に表示部の表示を視認し難いという問題がある。
【０００３】
例えば特許文献１には、携帯電話機の受話器と送話器との距離及び角度を調節するため、受話器に対し送話器を曲線状にスライド可能にするスライド機構が開示されている。受話器及び送話器はいずれも視認性をほとんど必要としないものであるため、この場合には特許文献１に開示されたスライド機構は有効であろう。しかし、上述したような表示部を備えた機器の場合には視認性の関係で高精度のスライド機能を要求されるため、特許文献１のスライド機構は適していない。換言すると、表示部を備えた機器に特許文献１のスライド機構を備えると、表示部の視認性を阻害する虞がある。
【０００４】
【特許文献１】特開平４−２７３７４４号公報
【発明の開示】
【発明が解決しようとする課題】
【０００５】
それ故に本発明の例示的課題は、高精度のスライド機能を有しかつ表示部の視認性に優れた電子機器を提供することにある。
【課題を解決するための手段】
【０００６】
本発明の例示的態様によれば、第１の筐体と、第２の筐体と、前記第１の筐体に固定された曲線状のレールと、前記第２の筐体に固定されたスライダフレームと、前記スライダフレームに保持され、前記レールを所定方向においてスライド可能に保持したスライダとを含むことを特徴とする電子機器が得られる。
【発明の効果】
【０００７】
本発明の例示的態様による電子機器においては、第１の筐体に固定された曲線状のレールを、第２の筐体に固定したスライダフレームに保持されたスライダによってスライド可能に保持しているので、第１及び第２の筐体を互いに高精度で曲線状にスライドさせることが可能になる。したがって、高精度のスライド機能を有しかつ表示部の視認性に優れた電子機器を提供することができる。
【発明を実施するための最良の形態】
【０００８】
図１を参照して、本発明の例示的実施形態に係る電子機器の概要について説明する。
【０００９】
図示の電子機器は、ＦＰＣ（図示せず）により互いに電気的に接続されている第１の部分１０と第２の部分２０とを含んでいる。第１及び第２の部分１０，２０は、図１（ａ）及び（ｂ）に示すように緩やかな曲線状の所定方向３０において互いにスライド可能に、即ちカーブスライド機能をもって、結合されている。第１の部分１０は、その上面に、文字や画像を表示するための表示部１０ａを備えている。第２の部分２０は、その上面に、電子機器を操作するための操作部２０ａを備えている。なお、所定方向３０に直交する方向を幅方向４０と呼び、また、これら直交する方向を上下方向５０と呼ぶ。
【００１０】
図２及び図３を参照して、第１の部分１０について説明する。
【００１１】
第１の部分１０は、第１の筐体１と、第１の筐体１の下面に配置されたレール３と、レール３を第１の筐体１に固定した複数即ち４本のネジ４とを含んでいる。レール３は、幅方向４０の両端に、互いに間隔をおいて所定方向３０と同等な曲線状にのびた対のスライド部３ａを有している。レール３は板金を型を用いたプレス加工などで形成し、その際に対のスライド部３ａを曲線状に加工することが望ましい。ここではレール３の対のスライド部３ａの間の中間部分３ｂは平板状に形成されている。なお、レール３は、樹脂より形成されてもよい。
【００１２】
図２及び図４を参照して、第２の部分２０について説明する。
【００１３】
第２の部分２０は、第２の筐体２と、第２の筐体２の上面の平坦部分２ｂに配置されたスライダフレーム５と、スライダフレーム５に保持された幅方向４０で互いに対向した対のスライダ６と、スライダフレーム５を第２の筐体２に固定した複数即ち４本のネジ７を含んでいる。スライダフレーム５は、幅方向４０の両端に対の断面コの字状のスライダ受け部５ａをそれぞれ有している。スライダフレーム５の対のコの字部分５ａの間の中間部分５ｂは平板状に形成されている。一方、対のスライダ６は、所定方向３０と同等な曲線状の摺動面で規定された、レール３をスライド可能に保持するスライド溝６ａと、スライド溝６ａの中間部から下方にへこんだ凹所６ｂとを有している。
【００１４】
各スライダ受け部５ａの上下には切欠き５ｃ及び穴５ｄがそれぞれ形成されている。また、各スライダ６の上下面にはそれぞれ突起６ｃ、６ｄが形成されている。スライダ６はスライダ受け部５ａにそれぞれ収容され、切欠き５ｃ及び穴５ｄに突起６ｃ、６ｄがそれぞれ係合することでスライダフレーム５に固定保持されている。
【００１５】
スライダフレーム５は、第２の筐体２とスライダ６とを強固に固定するため、板金をプレス加工して形成することが望ましいが、樹脂により形成されてもよい。一方、スライダ６は型を用いて樹脂成形されたものであり、曲線状の摺動面を形成するため、摺動性のよいポリアセタールなどの樹脂成形品であるが望ましいが、Mgダイカストなど金属での成形品であっても可能である。
【００１６】
図１及び図２を参照して、上述の電子機器の組み立てについて説明する。
【００１７】
第１の部分１０と第２の部分２０との組み立て状態においては、レール３のスライド部３ａがスライダ６のスライド溝６ａに摺動可能に係合されている。実際に組み立てる場合は、レール３とスライダ６を係合させてから第１及び第２の筐体１、２を取り付ける手順を採用することが好ましいであろう。
【００１８】
組み立て後の状態において、スライダ６の凹所６ｂは、スライダ６の所定方向３０における中間部をレール３のスライド部３ａから離間させる。したがって、各スライド部３ａは所定方向３０において離間した２箇所をスライダ６によって支持されることになる。これにより、レール３やスライダ６の摺動面の寸法がばらついたり、外力でスライダ６やレール３が変形したりしても、摺動性への影響が出難く、安定したカーブスライド機能を提供する。
【００１９】
図５を参照すると、スライダ６の摺動面に対して、スライダ６の高低差が大きい部分には凹部４ｅが形成されているため、スライダ６の成形にて厚肉部に生じるヒケの発生を防止できる。具体的には、スライダ６は、所定方向３０における両端部に肉厚を薄くする凹部６ｅがそれぞれ形成されている。
【００２０】
図５（ａ）に示す電子機器を長く伸ばした使用状態では、第１の部分１０が第２の部分２０に対し所定方向３０にスライドされ、この結果として、第１の部分１０が第２の部分２０に対し少し傾斜している。したがって、スライド後の表示部の視認性を阻害する虞はない。
【００２１】
図５（ｂ）示す第１の部分１０を第２の部分２０に重ねるようにスライドさせて電子機器を短くした非使用状態では、第１の部分１０と第２の部分２０とが重なることで、電子機器は全体としてコンパクトは直方体形状を呈することとなる。
【００２２】
図６（ａ）はレール３のスライド部３ａの曲率半径が設計寸法どおりの場合を示し、図６（ｂ）は曲率半径が変化した場合を示す。図６（ａ）に示すように曲率半径が設計寸法どおりの寸法Ｒａをもつ場合には、レール３のスライド部３ａとスライダ４の摺動部とには隙間ｄ１があり、摺動可能となっている。図６（ｂ）に示すようにレール３のスライド部３ａの曲率半径が変化して寸法Ｒｂをもつ場合でも、レール３のスライド部３ａとスライダ４の摺動部とには隙間ｄ２、ｄ３があり、摺動可能である。
【００２３】
スライダ６の摺動面が曲線状のため機器の厚み方向で高低差が生じるが、中央に凹部６ｅを形成して減肉することで、スライダ６の肉厚変化を小さくすることにより、ヒケの発生や変形を抑制し、部品寸法精度を確保するとともに、安定したカーブスライド機能を提供できる。ここで、ヒケ（Sink  Marks）とは、樹脂等の射出成形において材料が成形後に収縮することで生じるへこみ、窪みである。
【００２４】
またスライダ６にはレール３のスライド部３ａを摺動可能に受ける曲線状の摺動面があるが、摺動面の中央付近には凹所６ｂが形成されているため、レール３のスライド部３ａやスライダ６の摺動面の寸法がばらついたり、外力でスライダ６やレール３が変形したりしても摺動性への影響は少ない。
【００２５】
したがって、上述した電子機器は、高精度のスライド機能を有する視認性に優れたものといえる。
【産業上の利用可能性】
【００２６】
本発明は、スライド機構を有する携帯電話機などの小型電子機器のみならず、ノートタイプのパーソナルコンピュータ、ＰＤＡ、デジタルカメラ、デジタルビデオカメラなどにも適用可能である。
【図面の簡単な説明】
【００２７】
【図１】本発明の実施形態に係る電子機器のを示し、（ａ）はスライド閉状態の斜視図であり、（ｂ）は同じくスライド開状態の斜視図である。
【図２】図１の電子機器を第１の部分と第２の部分とに分解した分解斜視図である。
【図３】図２に示す第１の部分の分解斜視図である。
【図４】図２に示す第２の部分の分解斜視図である。
【図５】図１の電子機器を示し、（ａ）は要部のみを断面で表したスライド閉状態の側面図であり、（ｂ）は要部のみを断面で表したスライド開状態の側面図である。
【図６】図５の要部のみを拡大し示し、（ａ）は電子機器が設計どおりに作られた場合の断面図であり、（ｂ）は電子機器が設計からずれて作られた場合の断面図である。
【符号の説明】
【００２８】
１  第１の筐体
２  第２の筐体
２ｂ  平坦部分
３  レール
３ａ  レールのスライド部
３ｂ  レールの中間部分
４  ネジ
５  スライダフレーム
５ａ  スライダフレームのスライダ受け部
５ｂ  スライダフレームの中間部分
５ｃ  切欠き
５ｄ  穴
６  スライダ
６ａ  スライド溝
６ｂ  凹所
６ｃ、６ｄ  突起
６ｅ  凹部
７  ネジ
１０  第１の部分
２０  第２の部分
３０  所定方向
４０  幅方向
５０  上下方向
ｄ１、ｄ２、ｄ３  隙間
【図１】
2010154142.tif 000003
【図２】
2010154142.tif 000004
【図３】
2010154142.tif 000005
【図４】
2010154142.tif 000006
【図５】
2010154142.tif 000007
【図６】
2010154142.tif 000008
【手続補正書】
【提出日】平成21年12月1日(2009.12.1)
【手続補正１】
【補正対象書類名】特許請求の範囲
【補正対象項目名】全文
【補正方法】変更
【補正の内容】
【特許請求の範囲】
【請求項１】
第１の筐体と、第２の筐体と、前記第１の筐体に固定された曲線状のレールと、前記第２の筐体に固定されたスライダフレームと、前記スライダフレームに保持され、前記レールを所定方向においてスライド可能に保持したスライダとを含み、前記スライダは、前記所定方向における中間部に、前記レールから離間した凹所を有することを特徴とする電子機器。
【請求項２】
前記スライダは、型を用いて樹脂成形されたものである、請求項１に記載の電子機器。
【請求項３】
前記スライダは、型を用いて金属成形されたものである、請求項１に記載の電子機器。
【請求項４】
前記スライダは、前記所定方向における両端部に肉厚を薄くする凹部が形成されている、請求項２又は３に記載の電子機器。
【請求項５】
前記レールは、金属及び樹脂のいずれか一方より形成されている、請求項１−４のいずれか一項に記載の電子機器。
【請求項６】
前記スライダフレームは、金属及び樹脂のいずれか一方より形成されている、請求項１−５のいずれか一項に記載の電子機器。
【請求項７】
前記レールは、互いに間隔をおいて前記所定方向にのびた対のスライド部を有し、前記スライダは、前記対のスライド部をそれぞれスライド可能に保持するように間隔をおいて二つ設けられている、請求項１−６のいずれか一項に記載の電子機器。
【請求項８】
前記第１の筐体と前記第２の筐体とはＦＰＣにより電気的に接続されている、請求項１−７のいずれか一項に記載の電子機器。
【請求項９】
前記第１及び第２の筐体うちの一方は表示部を備え、他方は操作部を備えている、請求項１−８のいずれか一項に記載の電子機器。
【手続補正２】
【補正対象書類名】明細書
【補正対象項目名】０００６
【補正方法】変更
【補正の内容】
【０００６】
本発明の例示的態様によれば、第１の筐体と、第２の筐体と、前記第１の筐体に固定された曲線状のレールと、前記第２の筐体に固定されたスライダフレームと、前記スライダフレームに保持され、前記レールを所定方向においてスライド可能に保持したスライダとを含み、前記スライダは、前記所定方向における中間部に、前記レールから離間した凹所を有することを特徴とする電子機器が得られる。